(57)【特許請求の範囲】
【請求項１】
相手インナーターミナルに対する接続部分としての本体部と、同軸ケーブルの中心導体に対する加締め部分としての圧着部と、前記本体部及び前記圧着部のつなぎ部分としての連結部と、を有するシールドコネクタ用のインナーターミナルにおいて、
前記中心導体と共に加締められ前記圧着部内で前記中心導体に寄り添う内足を更に有する
ことを特徴とするシールドコネクタ用のインナーターミナル。
【請求項２】
請求項１に記載のシールドコネクタ用のインナーターミナルにおいて、
前記内足を前記圧着部内で二つ折り可能となる長さに形成する
ことを特徴とするシールドコネクタ用のインナーターミナル。
【請求項３】
請求項１又は請求項２に記載のシールドコネクタ用のインナーターミナルにおいて、
前記内足を前記本体部からのびるように形成する
ことを特徴とするシールドコネクタ用のインナーターミナル。
【発明の詳細な説明】
【技術分野】
【０００１】
本発明は、シールドコネクタを構成する一部品のインナーターミナルに関する。
【背景技術】
【０００２】
高周波信号の伝送に用いられる同軸ケーブルは、特性インピーダンスが５０Ωや７０Ωに設定されている。このような同軸ケーブルと、中継接続される電気装置の回路基板やケーブル等の伝送路とにおいては、特性インピーダンスの整合（マッチング）が図られるようになっている（例えば下記特許文献１参照）。
【０００３】
仮に、伝送路に特性インピーダンスの整合がしていない部分（不整合部分）が存在すると、この不整合部分では、信号の反射による伝送効率の低下及びノイズの発生等の不具合が生じてしまうことが知られている。伝送路の中継接続部であるシールドコネクタは、同軸ケーブルとの特性インピーダンスの整合が必要になっている。
【０００４】
シールドコネクタは、インナーターミナル（図５参照）、アウターターミナル、及びこれらの間に介在する誘電体を備えて構成されている。シールドコネクタは、「アウターターミナルの本体部の内径とインナーターミナルの端子部外径との比」及び「誘電体の誘電比率」を調整することにより、同軸ケーブルとのインピーダンス整合が図られるようになっている。
【特許文献１】特開２００３−１６３０５８号公報
【発明の開示】
【発明が解決しようとする課題】
【０００５】
図５において、インナーターミナル１の圧着部２は、同軸ケーブルの中心導体（図示省略）との電気的な接続信頼を優先したサイズ・形状に形成されている。従って、圧着後の圧着部２の口径は、本体部３の口径よりも小径となるように形成されている。このため、アウターターミナルの本体部（図示省略）の内径と、インナーターミナル１の端子部外径との比が合わないこととなり、この部分のインピーダンスが同軸ケーブルに比べて高くなってしまうという問題点を有している。
【０００６】
その他、インナーターミナル１は、中心導体に接続される細い部品であることから、圧着部２と本体部３とをつなぐ連結部４が極細の構造となってしまい、インピーダンスの不整合がおこるとともに、この部分の強度が不十分になってしまうという問題点を有している。
【０００７】
本発明は、上述した事情に鑑みてなされたもので、インピーダンス整合に配慮した、シールドコネクタ用のインナーターミナルを提供することを課題とする。
【課題を解決するための手段】
【０００８】
上記課題を解決するためになされた請求項１記載の本発明のシールドコネクタ用のインナーターミナルは、相手インナーターミナルに対する接続部分としての本体部と、同軸ケーブルの中心導体に対する加締め部分としての圧着部と、前記本体部及び前記圧着部のつなぎ部分としての連結部と、を有するシールドコネクタ用のインナーターミナルにおいて、前記中心導体と共に加締められ前記圧着部内で前記中心導体に寄り添う内足を更に有することを特徴としている。
【０００９】
このような特徴を有する本発明によれば、中心導体が内足と共に加締められる。これにより、圧着部のクリンプハイトが高くなり、圧着後の圧着部の口径と本体部の口径との差が縮まる。又は、ほぼ同じになる。従って、圧着部においてのインピーダンス整合が図られる。
【００１０】
請求項２記載の本発明のシールドコネクタ用のインナーターミナルは、請求項１に記載のシールドコネクタ用のインナーターミナルにおいて、前記内足を前記圧着部内で二つ折り可能となる長さに形成することを特徴としている。
【００１１】
このような特徴を有する本発明によれば、二つ折りした内足により、圧着部のクリンプハイトが更に高くなり、一層、圧着後の圧着部の口径と本体部の口径との差が縮まる。又は、ほぼ同じになる。従って、圧着部においてのインピーダンス整合が一層良好に図られる。
【００１２】
請求項３記載の本発明のシールドコネクタ用のインナーターミナルは、請求項１又は請求項２に記載のシールドコネクタ用のインナーターミナルにおいて、前記内足を前記本体部からのびるように形成することを特徴としている。
【００１３】
このような特徴を有する本発明によれば、連結部とは別に内足の一部が本体部及び圧着部の間に存在する。連結部は、内足により恰も補助される。本発明によれば、内足によって連結部においてのインピーダンス整合も図られる。
【発明の効果】
【００１４】
請求項１に記載された本発明によれば、インピーダンス整合に配慮した、シールドコネクタ用のインナーターミナルを提供することができるという効果を奏する。
【００１５】
請求項２に記載された本発明によれば、より一層インピーダンス整合に配慮することができるという効果を奏する。
【００１６】
請求項３に記載された本発明によれば、強度アップと連結部においてのインピーダンス整合とを図ることができるという効果を奏する。
【発明を実施するための最良の形態】
【００１７】
以下、図面を参照しながら説明する。図１は本発明のシールドコネクタ用のインナーターミナルの一実施の形態を示す圧着前の斜視図である。また、図２は圧着後の斜視図（同軸ケーブルは省略）、図３は圧着後の側面図（同軸ケーブルは省略）、図４は同軸ケーブルの斜視図である。
【００１８】
図１ないし図３において、引用符号１１は本発明のインナーターミナルを示している。インナーターミナル１１は、シールドコネクタ（図示省略）を構成する一部品であって、図４に示す同軸ケーブル１２の中心導体１３に対して圧着されるようになっている。インナーターミナル１１は、中心導体１３に対して接続固定されるようになっている。
【００１９】
インナーターミナル１１は、導電性を有する金属板をプレス加工することにより図示のような形状に形成されている。インナーターミナル１１は、本体部１４と圧着部１５と連結部１６と内足１７とを有している。一方、このような構成のインナーターミナル１１が接続される同軸ケーブル１２は、既知のものであって、中心導体１３と誘電体１８と編組１９とシース２０とを備えて構成されている。
【００２０】
インナーターミナル１１について説明すると、本体部１４は、相手インナーターミナル（図示省略）に対する接続部分として形成されている。本体部１４は、ここでは雄端子形状に形成されている（雌端子形状であってもよいものとする）。本体部１４は、ピン形状の先端部１４ａと、この先端部１４ａよりも大径の基部１４ｂとを有している。
【００２１】
圧着部１５は、同軸ケーブルの中心導体１３に対する加締め部分として形成されている。圧着部１５は、断面視略Ｕ字状に形成されている。圧着部１５は、一対の圧着バレル１５ａと、この圧着バレル１５ａが連続する基部１５ｂとで構成されている。一対の圧着バレル１５ａは、それぞれ加締めに必要な長さに形成されている。
【００２２】
連結部１６は、本体部１４及び圧着部１５のつなぎ部分として形成されている。連結部１６は、本形態の本体部１４の基部１４ｂが円形状であることから、断面視略円弧状に形成されている。
【００２３】
内足１７は、中心導体１３と共に加締められ、圧着部１５内で中心導体１３に寄り添うように形成されている。内足１７は、本体部１４の基部１４ｂからのびるように形成されている。もう少し具体的に説明すると、内足１７は、この一端が本体部１４の基部１４ｂの連結部１６から最も離れた位置に連成され、中間から他端が圧着部１５内の基部１５ｂと平行になるように形成されている。内足１７の一端は、連結部１６の反対側の位置に連成されている。内足１７の他端は、圧着部１５から飛び出さない位置に配置されている。
【００２４】
内足１７は、この断面形状が僅かながら円弧状となるように形成されている。内足１７は、インナーターミナル１１が平板の展開状態から丸められるようにして形成されることから、内足１７の円弧の向きが圧着部１５の基部１５ｂの円弧の向きと反対になるように形成されている。内足１７は、この円弧の向きによって僅かながら中心導体１３の位置を上方に持ち上げることができるように形成されている。中心導体１３は、インナーターミナル１１の中心軸に近づく又は一致するようになっている。
【００２５】
尚、内足１７は、この他端を長くして折り返してもよいものとする。言い換えれば圧着部１５内で二つ折り可能となる長さに形成してもよいものとする。また、内足１７は、この一端を本体部１４の基部１４ｂに連成するのでなく、圧着部１５の基部１５ｂの端部から伸ばして折り返した後、基部１５ｂと平行になるように形成してもよいものとする。
【００２６】
上記構成において、インナーターミナル１１及び同軸ケーブル１２を図示しない圧着装置にセットして圧着部１５の圧着を行うと、中心導体１３が内足１７と共に加締められる。本発明によれば、圧着部１５のクリンプハイトＣ／Ｈは、従来よりも内足１７の分だけ高くなることから、圧着後の圧着部１５の口径と本体部１４の口径との差が従来よりも格段に縮まることになる。従って、本発明によれば、圧着部１５においてのインピーダンス整合を図ることができる。
【００２７】
また、本発明によれば、連結部１６と別に内足１７の一部が本体部１４及び圧着部１５の間に存在することから、この内足１７によって連結部１６の強度を高めることができる。さらに、本発明によれば、内足１７の存在によって連結部１６においてのインピーダンス整合も図ることができる。
【００２８】
その他、本発明は本発明の主旨を変えない範囲で種々変更実施可能なことは勿論である。
【図面の簡単な説明】
【００２９】
【図１】本発明のシールドコネクタ用のインナーターミナルの一実施の形態を示す圧着前の斜視図である。
【図２】圧着後の斜視図（同軸ケーブルは省略）である。
【図３】圧着後の側面図（同軸ケーブルは省略）である。
【図４】同軸ケーブルの斜視図である。
【図５】従来例のインナーターミナルにおける圧着後の側面図（同軸ケーブルの図は省略）である。
【符号の説明】
【００３０】
１１  インナーターミナル
１２  同軸ケーブル
１３  中心導体
１４  本体部
１４ａ  先端部
１４ｂ  基部
１５  圧着部
１５ａ  圧着バレル
１５ｂ  基部
１６  連結部
１７  内足
１８  誘電体
１９  編組
２０  シース
Ｃ／Ｈ  クリンプハイト
【図１】
0004540582.tif 000002
【図２】
0004540582.tif 000003
【図３】
0004540582.tif 000004
【図４】
0004540582.tif 000005
【図５】
0004540582.tif 000006